(57)【要約】【課題】  入力信号中に含まれた特性の異なる信号の干渉を除去する装置およびその除去方法を提供する。【解決手段】  信号干渉除去装置は、ノッチを生成して入力信号に含まれた特性の異なる信号を除去するためのＩＩＲノッチフィルタと、入力信号に含まれた特性の異なる信号に対して周波数領域上の周波数を追跡してノッチの位置値を提供する周波数追跡部と、入力信号と特性の異なる信号のパワー比を算出し、算出された前記パワー比に対応して設定されたノッチの深さ値を提供するパワー比算出部と、を備え、ＩＩＲノッチフィルタは、位置値および深さ値を用いて特性の異なる信号を除去する。従って、入力信号中に含まれた特性の異なる信号を正確に除去することが可能となる。【選択図】図４
2004336715.tif 000002
【特許請求の範囲】
【請求項１】
ノッチを生成して入力信号に含まれた特性の異なる信号を除去するためのＩＩＲノッチフィルタと、
入力信号に含まれた特性の異なる信号に対して周波数領域上の周波数を追跡して前記ノッチの位置値を提供する周波数追跡部と、
入力信号と特性の異なる信号のパワー比を算出し、算出された前記パワー比に対応して設定された前記ノッチの深さ値を提供するパワー比算出部と、を備え、
前記ＩＩＲノッチフィルタは、前記位置値および前記深さ値を用いて前記特性の異なる信号に対応する前記ノッチを生成することを特徴とする信号干渉除去装置。
【請求項２】
前記周波数追跡部は、ＡＬＥアルゴリズムを用いることを特徴とする請求項１に記載の信号干渉除去装置。
【請求項３】
前記パワー比算出部は、算出された前記パワー比に対応して設定された前記ノッチの深さ値および前記ノッチの幅値を前記ＩＩＲノッチフィルタに提供することを特徴とする請求項１に記載の信号干渉除去装置。
【請求項４】
前記位置値、前記深さ値および前記幅値のうちの少なくともいずれか１つは、既に設定された値であることを特徴とする請求項３に記載の信号干渉除去装置。
【請求項５】
前記ＩＩＲノッチフィルタの伝達関数Ｈ（ｚ）は、次の式のように定義されることを特徴とする請求項１に記載の信号干渉除去装置。
【数１】
2004336715.tif 000006
【請求項６】
入力信号に含まれた特性の異なる信号に対して周波数領域上の周波数を追跡してノッチの位置値を獲得する位置値獲得ステップと、
入力信号と特性の異なる信号とのパワー比を算出し、算出された前記パワー比に対応して設定された前記ノッチの深さ値を獲得する深さ値獲得ステップと、
前記位置値および前記深さ値を用いて前記特性の異なる信号に対応する前記ノッチを生成して前記特性の異なる信号を除去するフィルタリングステップと、
を含むことを特徴とする信号干渉除去方法。
【請求項７】
前記位置値獲得ステップは、ＡＬＥアルゴリズムを用いることを特徴とする請求項６に記載の信号干渉除去方法。
【請求項８】
前記深さ値獲得ステップは、算出された前記パワー比に対応して設定された前記ノッチの深さ値および前記ノッチの幅値を獲得し、
前記フィルタリングステップは、前記位置値、前記深さ値および前記幅値を用いて前記特性の異なる信号を除去することを特徴とする請求項６に記載の信号除去方法。
【請求項９】
前記位置値、前記深さ値および前記幅値のうちの少なくともいずれか１つは、既に設定された値であることを特徴とする請求項８に記載の信号干渉除去方法。
【請求項１０】
前記フィルタリングステップの伝達関数Ｈ（ｚ）は、次の式のように定義されることを特徴とする請求項６に記載の信号干渉除去方法。
【数２】
2004336715.tif 000007
【請求項１１】
入力信号に含まれた特性の異なる第１の信号に対して周波数領域上の周波数を追跡して第１の位置値を提供する第１の周波数追跡部と、前記特性の異なる第１の信号の第１のパワー比を算出し、算出された前記第１のパワー比に対応して設定された前記ノッチの第１の深さ値を提供する第１のパワー比算出部と、前記第１の位置値および前記第１の深さ値に基づいて前記特性の異なる第１の信号を除去する第１のＩＩＲノッチフィルタとを有する第１のフィルタ部と、
入力信号に含まれた特性の異なる第２の信号に対して周波数領域上の周波数を追跡して第２の位置値を提供する第２の周波数追跡部と、前記特性の異なる第２の信号の第２のパワー比を算出し、算出された前記第２のパワー比に対応して設定された第２の深さ値を提供する第２のパワー比算出部と、前記第２の位置値および前記第２の深さ値に基づいて前記特性の異なる第２の信号を除去する第２のＩＩＲノッチフィルタとを有する第２のフィルタ部と、
入力信号に含まれた特性の異なる第３の信号に対して周波数領域上の周波数を追跡して第３の位置値を提供する第３の周波数追跡部と、前記特性の異なる第３の信号の第３のパワー比を算出し、算出された前記第３のパワー比に対応して設定された第３の深さ値を提供する第３のパワー比算出部と、前記第３の位置値および前記第３の深さ値に基づいて前記特性の異なる第３の信号を除去する第３のＩＩＲノッチフィルタとを有する第３のフィルタ部と、
を備えることを特徴とする信号干渉除去装置。
【請求項１２】
それぞれの前記周波数追跡部は、ＡＬＥアルゴリズムを用いることを特徴とする請求項１１に記載の信号干渉除去装置。
【請求項１３】
それぞれの前記パワー比算出部は、算出された前記パワー比に対応して設定された前記ノッチの深さ値および前記ノッチの幅値を前記ＩＩＲノッチフィルタに提供することを特徴とする請求項１１に記載の信号干渉除去装置。
【請求項１４】
それぞれの前記位置値、前記深さ値および前記幅値のうちの少なくともいずれか１つは、既に設定された値であることを特徴とする請求項１３に記載の信号干渉除去装置。
【請求項１５】
それぞれのＩＩＲノッチフィルタの伝達関数Ｈ（ｚ）は、次の式のように定義されることを特徴とする請求項１１に記載の信号干渉除去装置。
【数３】
2004336715.tif 000008
【請求項１６】
入力信号に含まれた特性の異なる第１の信号に対して周波数領域上の周波数を追跡して獲得した第１の位置値と、前記特性の異なる第１の信号に対して算出された第１のパワー比に対応して設定された前記ノッチの第１の深さ値とを用いて前記特性の異なる第１の信号を除去する第１のフィルタリングステップと、
前記入力信号に含まれた特性の異なる第２の信号に対して周波数領域上の周波数を追跡して獲得した第２の位置値と、前記特性の異なる第２の信号に対して算出された第２のパワー比に対応して設定された前記ノッチの第２の深さ値を用いて前記特性の異なる第２の信号を除去する第２のフィルタリングステップと、
を含むことを特徴とする信号干渉除去方法。
【請求項１７】
前記それぞれのフィルタリングステップでは、ＡＬＥアルゴリズムを用いてそれぞれの位置値を獲得することを特徴とする請求項１６に記載の信号干渉除去方法。
【請求項１８】
前記それぞれのフィルタリングステップは、前記それぞれの位置値、前記深さ値、およびそれぞれの特性の異なる信号に対して算出されたパワー比に対応してそれぞれ既に設定されたノッチの幅値を用いて前記特性の異なる信号をそれぞれ除去することを特徴とする請求項１６に記載の信号干渉除去方法。
【請求項１９】
前記それぞれの位置値、深さ値および幅値は、既に設定された値であることを特徴とする請求項１８に記載の信号干渉除去方法。
【請求項２０】
前記それぞれのフィルタリングステップの伝達関数Ｈ（ｚ）は、次の式のように定義されることを特徴とする請求項１６に記載の信号干渉除去方法。
【数４】
2004336715.tif 000009
【請求項２１】
入力信号に含まれた特性の異なる信号に対して周波数領域上の周波数を追跡して第１の位置値を提供する周波数追跡部と、
前記特性の異なる第１の信号のパワー比を算出し、算出された前記パワー比に対応して設定された前記第１の深さ値を提供するパワー比算出部と、
前記第１の位置値および前記第１の深さ値に基づいて前記特性の異なる第１の信号を除去する第１のＩＩＲノッチフィルタと、
前記第入力信号に含まれた特性の異なる第２の信号を第２の位置値および第２の深さ値に基づいて除去する第２のＩＩＲノッチフィルタと、を備え、
前記周波数追跡部は、前記第１の位置値に第１の所定値を加算した前記第２の位置値を前記第２のＩＩＲノッチフィルタに提供し、前記パワー比算出部は、前記第１の深さ値に第２の所定値を加算した第２の深さ値を前記第２のＩＩＲノッチフィルタに提供することを特徴とする信号干渉除去装置。
【請求項２２】
前記第１の所定値は、周波数領域上で前記特性の異なる第１の信号と前記特性の異なる第２の信号との相互間の周波数差に対応する値であり、
前記第２の所定値は、前記特性の異なる第１の信号と前記特性の異なる第２の信号の前記パワー比に対応する値であることを特徴とする請求項２１に記載の信号干渉除去装置。
【請求項２３】
前記周波数追跡部は、ＡＬＥアルゴリズムを用いることを特徴とする請求項２１に記載の信号干渉除去方法。
【請求項２４】
前記パワー比算出部は、算出された前記特性の異なる第１の信号のパワー比に対応して設定された前記第１の深さ値および前記第１の幅値を前記第１のＩＩＲノッチフィルタに提供し、
前記第１の深さ値および前記第１の幅値に前記第２の所定値がそれぞれ加算された前記第２の深さ値および前記第２の幅値を前記第２のＩＩＲノッチフィルタに提供することを特徴とする請求項２１に記載の信号干渉除去装置。
【請求項２５】
前記それぞれのＩＩＲノッチフィルタの伝達関数Ｈ（ｚ）は、次の式のように定義されることを特徴とする請求項２１に記載の信号干渉除去装置。
【数５】
2004336715.tif 000010
【請求項２６】
入力信号に含まれた特性の異なる信号に対して周波数領域上の周波数を追跡して第１の位置値を獲得する位置値獲得ステップと、
前記特性の異なる第１の信号のパワー比を算出し、算出された前記パワー比に対応して設定された前記第１の深さ値を獲得する深さ値獲得ステップと、
前記第１の位置値および前記第１の深さ値に基づいて前記特性の異なる第１の信号を除去する第１のフィルタリングステップと、
前記入力信号に含まれた特性の異なる第２の信号を第２の位置値および第２の深さ値を用いて除去する第２のフィルタリングステップと、を含み、
前記位置値獲得ステップは、前記第１の位置値に第１の所定値を加算した前記第２の位置値、前記深さ値獲得ステップは、前記第１の深さ値に第２の所定値を加算した前記第２の深さ値を前記第２のフィルタリングステップに提供することを特徴とする信号干渉除去方法。
【請求項２７】
前記第１の所定値は、周波数領域上で前記特性の異なる第１の信号と前記特性の異なる第２の信号との相互間の周波数差に対応する値であり、
前記第２の所定値は、前記特性の異なる第１の信号と前記特性の異なる第２の信号の前記パワー比に対応する値であることを特徴とする請求項２６に記載の信号干渉除去方法。
【請求項２８】
前記位置値獲得ステップは、ＡＬＥアルゴリズムを用いることを特徴とする請求項２６に記載の信号干渉除去方法。
【請求項２９】
前記深さ値獲得ステップは、算出された前記特性の異なる第１の信号の前記パワー比に対応して設定された第１の深さ値および第１の幅値を前記第１のフィルタリングステップに提供し、
前記第１の深さ値および前記第１の幅値に前記第２の所定値がそれぞれ加算された前記第２の深さ値および第２の幅値を前記第２のフィルタリングに提供することを特徴とする請求項２６に記載の信号干渉除去方法。
【請求項３０】
前記それぞれのフィルタリングステップの伝達関数Ｈ（ｚ）は、次の式のように定義されることを特徴とする請求項２６に記載の信号干渉除去方法。
【数６】
2004336715.tif 000011
【発明の詳細な説明】
【技術分野】
【０００１】
本発明は、デジタル受信装置に関し、より詳しくは、入力信号に含まれた特性の異なる信号の干渉を除去する装置およびその除去方法に関する。
【背景技術】
【０００２】
従来の地上波ＨＤＴＶ受信機では、ＨＤＴＶ信号と同一の周波数帯域、例えば、６ＭＨｚ帯域を使用するアナログ信号であるＮＴＳＣ ＴＶ信号によりチャネル干渉が発生している。それで、コムフィルタ（Ｃｏｍｂ−Ｆｉｌｔｅｒ）を採用してＨＤＴＶ受信端のチャネル干渉を発生させる同一周波数帯域のＮＴＳＣ ＴＶ信号を除去している。
【０００３】
図１は、６ＭＨｚの周波数帯域に存在する入力信号であるＨＤＴＶ信号と、アナログ信号であるＮＴＳＣ ＴＶ信号に関するスペクトル図である。即ち、同図に示されたように、ＮＳＴＣ ＴＶ信号である三つのＶ（Ｖｉｓｕａｌ）、Ｃ（Ｃｈｒｏｍｉｎａｎｃｅ）およびＡ（Ａｕｄｉｏ）搬送波信号を除去するため、コムフィルタ１０を使用する。
【０００４】
コムフィルタ１０は、１つのタブを有する線形フィード−フォワードフィルタであり、フィード−フォワード遅延器３で入力信号が反転・遅延された後、加算器７に提供される構造を有する。
【０００５】
コムフィルタの遅延器３の次数は、コムフィルタ１０に所定の周期を有するヌル(null)信号を提供する。即ち、遅延器３の次数を調整して図１に示されたようなＮＴＳＣ ＴＶ信号である三つの、Ｖ、ＣおよびＡ搬送波信号をヌル信号の位置とほとんど一致するようにする。
【０００６】
例えば、図１を参照するに、図３に示されたように３つのＶ、ＣおよびＡ搬送波信号の周波数位置にヌル信号を生成するため、シンボルレートを１３．３１２５ＭＨｚを調節し、このため、遅延器３の次数は、１２と設定する。即ち、６ＭＨｚ内に生成されたヌル信号の個数は、シンボルレートを遅延器の次数で除する値に対応する。従って、ヌル信号間の間隔は、８９６．８５ＫＨｚであり、６ＭＨｚチャネル帯域内に７つのヌル信号が存在する。
【０００７】
図３に示されたように、搬送波信号Ｖ（Ｖｉｓｕａｌ）は、低い帯域の端から２番目のヌル信号の近くに位置し、搬送波信号Ｃ（Ｃｈｒｏｍｉｎａｎｃｅ）は、６番目のヌル信号とほとんど正確に一致する。また、搬送波信号Ａ（Ａｕｒａｌ）は、７番目のヌル信号の近くに位置する。即ち、従来のコムフィルタで生成されたヌル信号の位置とＮＴＳＣ ＴＶ信号の３つの搬送波信号の位置とを合わせてＮＴＳＣ ＴＶ信号を除去する。
【０００８】
しかしながら、従来のコムフィルタを用いてアナログＮＴＳＣ ＴＶ信号を除去する場合は、以下のような幾つかの問題点がある。
【０００９】
先ず、ＮＴＳＣ ＴＶ信号の３つの搬送波信号（Ｖ、Ｃ、Ａ）を正確にコムフィルタのヌル信号の位置に合わせることができない。図３に示されたように、搬送波信号Ｃは、比較的正確に６番目ヌル信号の位置に合わせられるが、他の２つの搬送波信号Ｖ、Ａは、僅かなオフセットを有するようになり、これによって、ＮＴＳＣ ＴＶ信号が不完全に除去され、ＨＤＴＶ信号に悪影響を与える。
【００１０】
また、コムフィルタの規則的なヌル信号によって元のＨＤＴＶ信号自体が変形してしまう。即ち、３つの搬送波信号を除去するためのヌル信号を除外した他のヌル信号は、不要なものであり、これによってＨＤＴＶ信号が歪むようになる。このように発生したＨＤＴＶ信号の歪みを復元するためトレリス復号器を使用しており、これによって復号器が複雑化するという問題点がある。
【発明の開示】
【発明が解決しようとする課題】
【００１１】
本発明は、前述のような問題点を解決するためになされたものであって、本発明の目的は、特性の異なる信号の干渉を除去する装置およびその信号除去方法を提供することにある。
【課題を解決するための手段】
【００１２】
上記の目的を達成するための本発明に係る信号干渉除去装置は、ノッチ（ｎｏｔｃｈ）を生成して入力信号に含まれた特性の異なる信号を除去するためのＩＩＲノッチフィルタと、入力信号に含まれた特性の異なる信号に対して周波数領域上の周波数を追跡して前記ノッチの位置値を提供する周波数追跡部と、入力信号と特性の異なる信号のパワー比を算出し、算出された前記パワー比に対応して設定された前記ノッチの深さ値を提供するパワー比算出部と、を備え、前記ＩＩＲノッチフィルタは、前記位置値および前記深さ値を用いて前記特性の異なる信号に対応する前記ノッチを生成することを特徴とする。
好ましくは、前記周波数追跡部は、ＡＬＥ（Ａｄａｐｔｉｖｅ Ｌｉｎｅ Ｅｎｈａｎｃｅｒ）アルゴリズムを用いる。
【００１３】
前記パワー比算出部は、算出された前記パワー比に対応して設定された前記ノッチの深さ値および前記ノッチの幅値を前記ＩＩＲノッチフィルタに提供する。
前記ＩＩＲノッチフィルタの伝達関数Ｈ（ｚ）は、次の式(7)のように定義されることを特徴とする。
【００１４】
【数１】
2004336715.tif 000003
【００１５】
本発明によって特性の異なる信号を除去する方法は、入力信号に含まれた特性の異なる信号に対して周波数領域上の周波数を追跡してノッチの位置値を獲得する位置値獲得ステップと、入力信号と特性の異なる信号のパワー比を算出し、算出された前記パワー比に対応して設定された前記ノッチの深さ値を獲得する深さ値獲得ステップと、前記位置値および前記深さ値を用いて前記特性の異なる信号に対応する前記ノッチを生成して前記特性の異なる信号を除去するフィルタリングステップと、を含むことを特徴とする。
【００１６】
好ましくは、前記位置値獲得ステップは、ＡＬＥ（Ａｄａｐｔｉｖｅ Ｌｉｎｅ Ｅｎｈａｎｃｅｒ）アルゴリズムを用いる。
【００１７】
前記深さ値獲得ステップは、算出された前記パワー比に対応して設定された前記ノッチの深さ値および前記ノッチの幅値を獲得し、前記フィルタリングステップは、前記位置値、前記深さ値および前記幅値を用いて前記特性の異なる信号を除去する。
【００１８】
従って、入力信号と同一の周波数帯域に存在する特性の異なる信号を正確にフィルタリングすることが可能となる。
【発明の効果】
【００１９】
本発明によれば、第一、デジタル信号と同一の周波数帯域に存在するアナログ信号の周波数位置とパワー比を用いてデジタル信号中に含まれたアナログ信号を正確に除去することができる。第二、アナログ信号のみを正確に除去することにより、デジタル信号の歪みを防止することができる。
【発明を実施するための最良の形態】
【００２０】
以下、添付の図面を参照して本発明をより詳しく説明する。
本発明に係る信号干渉除去装置は、入力信号に含まれた特性の異なる信号を除去するためにノッチを生成するＩＩＲノッチフィルタと、入力信号に含まれた特性の異なる信号に対して周波数領域上の周波数を追跡する周波数追跡部と、入力信号と特性の異なる信号のパワー比を算出し、算出されたパワー比に対応するノッチの深さ値と幅値を提供するパワー比算出部とを備える。ＩＩＲノッチフィルタは、周波数追跡部によって追跡された特性の異なる信号の周波数を用いてノッチの位置を決定し、パワー比算出部から提供された深さ値と幅値とを用いてフィルタリングすべき信号に適応的ノッチを生成することでフィルタリングを行う。
【００２１】
図４は、本発明に係る実施例を示すもので、入力信号中に含まれた特性の異なるアナログ信号の干渉を除去するための装置の詳細を示すブロック図である。
信号干渉除去装置は、入力される入力信号中に含まれた複数のアナログ信号の個数に対応する複数のフィルタ部４１０、４３０、４５０を有する。
【００２２】
複数のフィルタ部である第１、第２および第３のフィルタ部４１０、４３０、４５０の構成は、同様であるため、第１のフィルタ部４１０に関してのみ説明する。
第１のフィルタ部４１０は、第１のＩＩＲノッチフィルタ４１１、第１の周波数追跡部４１３、第１のパワー比算出部４１５を有してなる。
【００２３】
第１のＩＩＲノッチフィルタ４１１は、入力信号に含まれた第１の搬送波信号を除去するための所定の周波数位置（ｋ０）に所定の深さ（ｋ１）と幅（α）を有するノッチを生成する。
【００２４】
図５Ａないし図５Ｃは、本発明に適用されるＩＩＲノッチフィルタ５０を示すもので、図５Ａは、ＩＩＲノッチフィルタの構造を示す図である。ＩＩＲノッチフィルタ５０は、オールポールラティスフィルタ（Ａｌｌ Ｐｏｌｅ Ｌａｔｔｉｃｅ Ｆｉｌｔｅｒ）５１とオールゼロラティスフィルタ（Ａｌｌ Ｚｅｒｏ Ｌａｔｔｉｃｅ Ｆｉｌｔｅｒ）５３とがカスケード（ｃａｓｃａｄｅ）連結された構造を有している。ＩＩＲノッチフィルタ５０の伝達関数Ｈ（ｚ）は、次の式(8)のように定義される。
【００２５】
【数２】
2004336715.tif 000004
【００２６】
ここで、ｋ０はノッチが位置する周波数（ω０）に対応する値であり、ｋ０＝−cosω０である。ｋ１は、ノッチの深さに対応する値であり、αは、ノッチの幅に対応する値である。
【００２７】
図５Ａは、ノッチの深さに対応した振幅応答特性図であり、図５Ｃは、ノッチの幅に対応する振幅応答特性図である。例えば、ｋ０＝３０である場合、図５Ａに示されたように、ｋ１値が大きくなるほどノッチの深さが深くなり、図Ｂに示されたように、α値が大きくなるほどノッチの幅が狭くなる特性が見られる。
【００２８】
即ち、第１のＩＩＲノッチフィルタ４１１は、第１の周波数追跡部４１３から提供される周波数（ω０）により、ｋ０（＝−cosω０）が得られ、第１のパワー比算出部４１５から、ｋ１およびαが得られる。これによって、第１のＩＩＲノッチフィルタ４１１は、入力信号に含まれた特性の異なる第１の搬送波信号が位置した周波数に、ｋ１およびαに対応するノッチを生成することによって第１の搬送波信号を除去する。
【００２９】
第１の周波数追跡部４１３は、入力信号内の第１の搬送波信号に対して周波数領域上の周波数（ω０）を周波数追跡アルゴリズム（ＡＬＥ、ＬＭＳなど）を用いて追跡する。
【００３０】
図６Ａおよび図６Ｂは、第１の周波数追跡部４１３に用いられるＡＬＥアルゴリズムに関する例示図である。図６Ａは、適応的フィルタ（Ａｄａｐｔｉｖｅ Ｆｉｌｔｅｒ）を用いた例示図である。入力信号ｕ（ｎ）＝Ａｓｉｎ（ω０ｎ＋Φ）に特性の異なる信号ｖ（ｎ）が加えられた場合、適用的フィルタによって特性の異なる信号ｖ（ｎ）に対して周波数領域上の周波数（ω０）が追跡される。
【００３１】
図６Ｂは、Ａｄａｐｔｉｖｅ Ｌａｔｔｉｃｓ Ｐｒｅｄｉｃｔｏｒ（Ａｌｌ Ｚｅｒｏ Ｆｉｌｔｅｒ）を用いた例示図である。オールゼロフィルタは、フィルタの係数（ｋ０）をフォワード予測エラー（ｆｏｒｗａｒｄ ｐｒｅｄｉｃｔｉｏｎ ｅｒｒｏｒ：ｅ（ｎ））とバックワード予測エラー（ｂａｃｋｗａｒｄ ｐｒｅｄｉｃｔｉｏｎ ｅｒｒｏｒ：ｂ（ｎ））の二乗の和が最小となるように決定する。決定されたフィルタ係数（ｋ０）は、｜ｋ０｜＜１である時、最も安定している。ここで、フィルタ係数（ｋ０）は、ｋ０＝−cosω０と定義され、これによって、周波数（ω０）を追跡することが可能となる。
【００３２】
第１のパワー比算出部４１５は、入力信号の信号対雑音比（ＳＮＲ）が最大となる時のアナログ搬送波信号とデジタル信号とのパワー比（ＡＣＳＲ：Ａｎａｌｏｇ ＴＶ Ｃａｒｒｉｅｒ ｔｏ ＤＴＶ Ｓｉｇｎａｌ ｐｏｗｅｒ Ｒａｔｉｏ）を算出する。信号対雑音比（ＳＮＲ）は、次の式(9)で定義される。
【００３３】
【数３】
2004336715.tif 000005
【００３４】
ここで、ｐ(n)は、デジタル信号、ｙ(n)は、受信端の入力信号、σは、標準偏差であり、ｋ１は深さ、αは幅である。
【００３５】
第１のパワー比算出部４１５は、算出されたパワー比（ＡＣＳＲ）に対応して設定されたノッチの深さ（ｋ１）と幅（α）値を第１のＩＩＲノッチフィルタ４１１に提供する。
従って、第１のＩＩＲノッチフィルタ４１１は、第１の搬送波信号が位置した周波数（ω０）に深さ（ｋ１）と幅（α）を有するノッチを生成して第１の搬送波信号を除去する。
【００３６】
以上のように、入力信号中に含まれた第１の搬送波信号を除去した後、第１の搬送波信号が除去された入力信号は、第２のフィルタ部４３０および第３のフィルタ部４５０に入力され、第２の搬送波信号および第３の搬送波信号を順次除去して行く。
【００３７】
勿論、周波数追跡部の代わりに既に設定された位置値を用いることもでき、パワー比算出部の代わりに既に設定された深さ値および幅値を用いることもできる。
【００３８】
図７は、本発明に係る信号干渉除去装置の他の実施例に関するブロック図である。
信号干渉除去装置は、入力される入力信号中に含まれる複数のアナログ信号のうちのいずれかのアナログ信号に対する周波数領域上の周波数を追跡する周波数追跡部７１０と、周波数追跡部７１０で追跡されたいずれか１つのアナログ信号に対するパワー比（ＡＣＳＲ）を算出するパワー比算出部７３０、および周波数追跡部７１０およびパワー比算出部７３０で得られたｋ０、ｋ１、αに基づいて入力信号に含まれた複数のアナログ信号を除去する複数のＩＩＲノッチフィルタ７５０、７７０、７９０を有している。
【００３９】
周波数追跡部７１０は、周波数追跡アルゴリズム（例えば、図５Ａの摘心的フィルタ（Ａｄａｐｔｉｖｅ ｆｉｌｔｅｒ））を用いて入力される入力信号中に含まれた複数のアルゴリズム信号のうちのいずれか１つのアナログ信号に対する周波数領域上の周波数を追跡する。好ましくは、周波数領域上の最も低い帯域に存在するアナログ信号である第１の搬送波信号の周波数ω０を追跡する。追跡された周波数ω０を用いてｋ０（ｋ０＝−cosω０）を求め、第１のＩＩＲノッチフィルタ７５０にｋ０を提供する。
【００４０】
また、第１の周波数追跡部７１０は、追跡された第１の搬送波信号の周波数ω０に一定値ａ、ｂを加え、第２、第３のＩＩＲノッチフィルタ７７０、７９０に提供する。ここで、一定値ａ、ｂは、第１の搬送波信号に対する第２および第３の搬送波信号の周波数領域上の周波数間隔に対応する値である。即ち、第２のＩＩＲノッチフィルタ７７０には、第１の搬送波信号と第２の搬送波信号との周波数間隔に対応する値ａを加えた、ω０’＝ω０＋ａを提供し、第３のＩＩＲノッチフィルタ７９０には、第１の搬送波信号と第３の搬送波信号との周波数間隔に対応する値ｂを加えた、ω０”＝ω０＋ｂを提供する。
【００４１】
なお、パワー比算出部７３０は、入力信号の信号対雑音比（ＳＮＲ）が最大となる時の第１の搬送波信号とデジタル信号との第１のパワー比（ＡＣＳＲ）を算出する。算出された第１のパワー比（ＡＣＳＲ）に対応して設定されたｋ１とαを第１のＩＩＲノッチフィルタ７５０に提供する。
【００４２】
また、パワー比算出部７３０は、第１の搬送波信号に対して算出された第１のパワー比に一定値ｃ、ｄを加えて第２および第３の搬送波信号に対する第２および第３のパワー比を算出する。ここで、一定値ｃ、ｄは、第１の搬送波信号の第１のパワー比に対する第２および第３の搬送波信号のそれぞれのパワー比の比率に対応する値である。パワー比算出部７３０は、このように得られた第２および第３のパワー比に対応して設定されたそれぞれのｋ１’、ｋ１”とα’、α”を、第２および第３のＩＩＲノッチフィルタ７７０、７９０に順次提供する。
【００４３】
従って、周波数追跡部７１０およびパワー比算出部７３０により提供される第１の搬送波信号に対するｋ０、ｋ１、αに基づいて第１のＩＩＲノッチフィルタ７５０は、第１の搬送波信号を除去する。次いで、周波数追跡部７１０およびパワー比算出部７３０から提供される第２の搬送波信号に対するｋ０’、ｋ１’α’に基づいて第２のＩＩＲノッチフィルタ７７０は、第２の搬送波信号を除去し、周波数追跡部７１０およびパワー比算出部７３０から提供される第３の搬送波信号に対するｋ０”、ｋ１”、α”に基づいて第３のＩＩＲノッチフィルタ７９０は、第３の搬送波信号を除去する。
【００４４】
図８は、本発明に係る信号干渉除去装置のまた他の実施例を示すブロック図である。
信号干渉除去装置は、入力信号中に含まれる複数のアナログ搬送波信号を除去する複数のＩＩＲノッチフィルタ８１０、８３０、８５０を有している。ＩＩＲノッチフィルタ８１０、８３０、８５０には、アナログ信号に対応するｋ０、ｋ１、αがセットされるか、或いは、別のＲＯＭに既に格納されたｋ０、ｋ１、αを用いてアナログ信号を除去する。
【００４５】
即ち、第１のＩＩＲノッチフィルタ８１０は、第１の搬送波信号に対応して設定されたｋ０、ｋ１、αに基づいて第１の搬送波信号を除去し、第２のＩＩＲノッチフィルタ８３０は、第２の搬送波信号に対応して設定されたｋ０’、ｋ１’α’に基づいて第２の搬送波信号を除去し、第３のＩＩＲノッチフィルタ８５０は、第３の搬送波信号に対応して設定されたｋ０”、ｋ１”、α”に基づいて第３の搬送波信号を除去する。
【００４６】
以上の実施例では、ノッチの深さ値（ｋ１）と、ノッチの幅値（α）の全てをＩＩＲノッチフィルタに提供して入力信号に含まれた特性の異なる信号を除去する場合について説明してきたが、ノッチフィルタの動作特性が、ノッチの幅よりは、深さの方にさらに関連しているため、ＩＩＲノッチフィルタにノッチの深さであるｋ１のみを提供することもできる。
【００４７】
図９Ａないし図９Ｄは、本発明に係る信号干渉除去装置によって入力信号に含まれたアナログ搬送波信号を除去する過程を示すフローチャートであり、図４を参照しながらより詳しく説明する。
【００４８】
図９Ａは、６ＭＨｚの周波数帯域にＨＤＴＶ信号とＮＴＳＣ ＴＶ信号とが共存するスペクトルを示す図である。
第１のフィルタ部４１０には、図９Ａに示されたようなスペクトルを有する入力信号が入力される。第１の周波数追跡部４１３は、入力信号に含まれたＮＴＳＣ ＴＶ信号のうち第１の搬送波信号（Ｖ：Ｖｉｄｅｏ）の第１の周波数（ω０）を追跡する。追跡された第１の周波数（ω０）に対応するｋ０を求めて第１のＩＩＲノッチフィルタ４１１に提供する。また、第１のパワー比算出部４１５は、入力信号に対する第１の搬送波信号（Ｖ）の第１のパワー比（ＡＣＳＲ）を算出し、算出された第１のパワー比（ＡＣＳＲ）に対応して設定されたｋ１、αを第１のＩＩＲノッチフィルタ４１１に提供する。
【００４９】
第１のＩＩＲノッチフィルタ４１１は、入力された第１の搬送波信号に対応するｋ０、ｋ１、αをを用いて図９Ｂに示されたように第１の搬送波信号（Ｖ）を除去する。
【００５０】
入力信号に含まれた第１の搬送波信号（Ｖ）が除去された、図９Ｂに示されたような入力信号は、第２のフィルタ部４３０に入力される。
【００５１】
第２のフィルタ部４３０の第２の周波数追跡部４３３は、入力信号に含まれたＮＴＳＣ ＴＶ信号のうち第２の搬送波信号（Ｃ：Ｃｏｌｏｒ）の第２の周波数（ω０’）を追跡する。追跡された第２の周波数（ω０’）に対応するｋ０’を求めて第２のＩＩＲノッチフィルタ４３１に提供する。また、第２のパワー比算出部４３５は、入力信号に対する第２の搬送波信号（Ｃ）の第２のパワー比（ＡＳＣＤ）を算出し、算出された第２のパワー比（ＡＣＳＤ）に対応して設定されたｋ１’α’を第２のＩＩＲノッチフィルタ４３１に提供する。
【００５２】
第２のＩＩＲノッチフィルタ４３１は、入力された第２の搬送波信号に対応するｋ０’、 ｋ１’、α’を用いて図９Ｃに示されたように、第２の搬送波信号（Ｃ）を除去する。
【００５３】
入力信号に含まれた第１および第２の搬送波信号（Ｖ、Ｃ）が除去された図９Ｃに示されたような入力信号は、第３のフィルタ部４５０に入力される。
第３のフィルタ部４５０の第３の周波数追跡部４５３は、入力信号に含まれたＮＴＳＣ ＴＶ信号のうち第３の搬送波信号（Ａ：Ａｕｄｉｏ）の第３の周波数（ω０”）を追跡する。追跡された第３の周波数（ω０”）に対応するｋ０”を求めて第３のＩＩＲノッチフィルタ４５１に提供する。また、第３のパワー比算出部４５５は、入力信号に対する第３の搬送波信号（Ａ）の第３のパワー比（ＡＳＣＲ）を算出し、算出された第３のパワー比（ＡＣＳＲ）に対応して設定されたｋ１”、α”を第３のＩＩＲノッチフィルタ４５１に提供する。
【００５４】
第３のＩＩＲノッチフィルタ４５１は、入力された第３の搬送波信号に対応するｋ０”、 ｋ１”、α”を用いて図９Ｄに示されたように、第３の搬送波信号（Ａ）を除去する。
【００５５】
以上のように、ＩＩＲノッチフィルタによってＮＴＳＣ ＴＶ信号が存在する周波数位置にアナログ信号とデジタル信号とのパワー比によるノッチの深さと幅で適応的なノッチを生成することにより、ＨＤＴＶ信号中に含まれたＮＴＳＣ ＴＶ信号を正確にフィルタリングすることができる。
【００５６】
以上、図面を参照して本発明の実施例について説明してきたが、本発明の保護範囲は、前述の実施例に限定されるものではなく、特許請求の範囲に記載された発明とその均等物にまで及ぶものである。
【産業上の利用可能性】
【００５７】
特性の異なる信号の干渉を除去する装置およびその信号除去方法に適用可能である。
【図面の簡単な説明】
【００５８】
【図１】６ＭＨｚの同一周波数帯域に存在するＨＤＴＶ信号とＮＴＳＣ ＴＶ信号のスペクトル図である。
【図２】従来のコムフィルタを示す構成図である。
【図３】図２に示されたコムフィルタの遅延器３次数に対応して生成されたヌル信号に適用されたＮＴＳＣ ＴＶ信号を示す図である。
【図４】本発明に係る信号干渉除去装置の一実施例に関するブロック図である。
【図５Ａ】本発明に係る信号干渉除去装置のＩＩＲノッチフィルタを示す図である。
【図５Ｂ】本発明に係る信号干渉除去装置のＩＩＲノッチフィルタを示す図である。
【図５Ｃ】本発明に係る信号干渉除去装置のＩＩＲノッチフィルタを示す図である。
【図６Ａ】本発明に係る信号干渉除去装置の周波数追跡部を示す図である。
【図６Ｂ】本発明に係る信号干渉除去装置の周波数追跡部を示す図である。
【図７】本発明に係る信号干渉除去装置の他の実施例に関するブロック図である。
【図８】本発明に係る信号干渉除去装置のまた他の実施例に関するブロック図である。
【図９Ａ】本発明に係る信号干渉除去装置によって特性の異なる信号が除去される過程を示す図である。
【図９Ｂ】本発明に係る信号干渉除去装置によって特性の異なる信号が除去される過程を示す図である。
【図９Ｃ】本発明に係る信号干渉除去装置によって特性の異なる信号が除去される過程を示す図である。
【図９Ｄ】本発明に係る信号干渉除去装置によって特性の異なる信号が除去される過程を示す図である。
【符号の説明】
【００５９】
４１０      第１のフィルタ部
４１１      第１のＩＩＲノッチフィルタ
４１３      第１の周波数追跡部
４１５      第１のパワー比算出部
【図１】
2004336715.tif 000012
【図２】
2004336715.tif 000013
【図３】
2004336715.tif 000014
【図４】
2004336715.tif 000015
【図５Ａ】
2004336715.tif 000016
【図５Ｂ】
2004336715.tif 000017
【図５Ｃ】
2004336715.tif 000018
【図６Ａ】
2004336715.tif 000019
【図６Ｂ】
2004336715.tif 000020
【図７】
2004336715.tif 000021
【図８】
2004336715.tif 000022
【図９Ａ】
2004336715.tif 000023
【図９Ｂ】
2004336715.tif 000024
【図９Ｃ】
2004336715.tif 000025
【図９Ｄ】
2004336715.tif 000026